(57)【要約】【課題】カメラの操作性を落とすことなく、無駄な電力消費を避けることのできるデジタルカメラを提供すること。【解決手段】第１の所定時間が経過したときに省電力モードに移行するための第１の計時手段と、第２の所定時間が経過したときに電源をオフするための第２の計時手段と、前記第１及び第２の計時手段をリセットする計時リセット手段と、撮像装置を操作するための操作手段と、撮像装置の姿勢変化及び振動の少なくともいずれかを検出する検出手段とを備え、前記計時リセット手段は、前記操作手段により撮像装置が操作された場合、前記計時リセット手段により前記第１及び第２の計時手段をリセットするとともに、前記検出手段により撮像装置の姿勢変化及び振動の少なくともいずれかを検出した場合、前記第１の計時手段をリセットし、前記第２の計時手段をリセットしないように構成した。【選択図】      図１
2006086651.tif 000002
【特許請求の範囲】
【請求項１】
第１の所定時間が経過したときに省電力モードに移行するための第１の計時手段と、
第２の所定時間が経過したときに電源をオフするための第２の計時手段と、
前記第１及び第２の計時手段をリセットする計時リセット手段と、
撮像装置を操作するための操作手段と、
撮像装置の姿勢変化及び振動の少なくともいずれかを検出する検出手段とを備え、
前記計時リセット手段は、前記操作手段により撮像装置が操作された場合、前記計時リセット手段により前記第１及び第２の計時手段をリセットするとともに、前記検出手段により撮像装置の姿勢変化及び振動の少なくともいずれかを検出した場合、前記第１の計時手段をリセットし、前記第２の計時手段をリセットしないことを特徴とする撮像装置。
【請求項２】
撮像された画像を表示する表示手段を更に備え、
前記省電力モードでは、少なくとも前記表示手段をオフすることを特徴とする請求項１に記載の撮像装置。
【請求項３】
前記省電力モードでは、少なくとも撮像装置の動作クロックの周波数を低下させることを特徴とする請求項１又は２に記載の撮像装置。
【請求項４】
第１の所定時間が経過したときに省電力モードに移行するための第１の計時手段と、
第２の所定時間が経過したときに電源をオフするための第２の計時手段と、
前記第１及び第２の計時手段をリセットする計時リセット手段と、
装置を操作するための操作手段と、
撮像装置の姿勢変化及び振動の少なくともいずれかを検出する検出手段とを備える撮像装置の制御方法であって、
前記計時リセット手段は、前記操作手段により撮像装置が操作された場合、前記計時リセット手段により前記第１及び第２の計時手段をリセットするとともに、前記検出手段により撮像装置の姿勢変化及び振動の少なくともいずれかを検出した場合、前記第１の計時手段をリセットし、前記第２の計時手段をリセットしないことを特徴とする制御方法。
【請求項５】
前記撮像装置は、撮像された画像を表示する表示手段を更に備え、
前記省電力モードでは、少なくとも前記表示手段をオフすることを特徴とする請求項４に記載の制御方法。
【請求項６】
前記省電力モードでは、少なくとも撮像装置の動作クロックの周波数を低下させることを特徴とする請求項４又は５に記載の制御方法。
【発明の詳細な説明】
【技術分野】
【０００１】
本発明は、オートパワーオフ機能を備えた撮像装置及びその制御方法に関するものである。
【背景技術】
【０００２】
一般的に、CCD等の撮像素子によりデジタル画像を記録するデジタルカメラでは、無駄なバッテリ消費を避けるために、オートパワーオフ機能が搭載されている。
【０００３】
これは、カメラの電源がオンのまま一定時間操作されない場合、自動的にカメラの電源をオフする機能であり、電源をオフするまでの時間は数分に設定されていることが多い。
【０００４】
また、デジタルカメラでは、カメラの背面等に設置されたLCDパネル等のディスプレイに被写体画像を逐次表示する電子ビューファインダ機能が搭載されている。
【０００５】
デジタルカメラで撮影を行う際は、電子ビューファインダを使用することが一般的であるが、電子ビューファインダ使用時はデジタルカメラの消費電力が大きくなる側面がある。
【特許文献１】特開２００４−７８７３７号公報
【発明の開示】
【発明が解決しようとする課題】
【０００６】
一般的に、デジタルカメラの電源にはバッテリが使用されており、主に屋外で携帯して使用されるケースが多いことから、デジタルカメラにとって、電力消費に関する性能向上が重要な課題となっている。
【０００７】
これに対し、従来の方法では、オートパワーオフが働くまでの間、カメラは通電状態のままであり、その間は無駄に電力が消費されるという問題があった。
【０００８】
また、省電力を優先し、オートパワーオフが働くまでの時間を短く設定した場合、ユーザが電源オン状態を維持したい場合であっても電源がオフされてしまうという問題があり、消費電力の削減とカメラの操作性のバランスをとることが難しかった。
【０００９】
この課題に対して、オートパワーオフが働く前に、比較的短い時間で、電力消費の大きい電子ビューファインダを自動的にオフすることにより、電力消費を減らすようになされたカメラが提供されている。
【００１０】
しかし、それらのカメラでは、電子ビューファインダが自動的にオフされた状態から復帰するためには、カメラの操作部材のいずれかを操作する必要があった。
【００１１】
これに対し、操作性を向上するために、電子ビューファインダが自動オフされた状態でカメラを構えると、カメラの姿勢変化を検出し、自動的に電子ビューファインダをオンするようになされたカメラが提供されている。
【００１２】
しかしながら、このカメラを電源オン状態で持ち運んだ場合、姿勢変化を検出して電子ビューファインダが自動的にオンしてしまうことがあった。
【００１３】
また、上記のカメラでは、電子ビューファインダが自動的にオンされると、同時にオートパワーオフ用のタイマがリセットされるため、上記のように電源オン状態で持ち運んだ場合にオートパワーオフ機能が働かず、バッテリを無駄に消費するという問題があった。
【００１４】
そこで、本発明は、カメラの操作性を落とすことなく、無駄な電力消費を避けることのできるデジタルカメラを提供することを目的としている。
【課題を解決するための手段】
【００１５】
上記課題を解決し、目的を達成するために、本発明の撮像装置においては、第１の所定時間が経過したときに省電力モードに移行するための第１の計時手段と、第２の所定時間が経過したときに電源をオフするための第２の計時手段と、前記第１及び第２の計時手段をリセットする計時リセット手段と、撮像装置を操作するための操作手段と、撮像装置の姿勢変化及び振動の少なくともいずれかを検出する検出手段とを備え、前記計時リセット手段は、前記操作手段により撮像装置が操作された場合、前記計時リセット手段により前記第１及び第２の計時手段をリセットするとともに、前記検出手段により撮像装置の姿勢変化及び振動の少なくともいずれかを検出した場合、前記第１の計時手段をリセットし、前記第２の計時手段をリセットしない。
【００１６】
また、本発明の撮像装置の制御方法は、第１の所定時間が経過したときに省電力モードに移行するための第１の計時手段と、第２の所定時間が経過したときに電源をオフするための第２の計時手段と、前記第１及び第２の計時手段をリセットする計時リセット手段と、装置を操作するための操作手段と、撮像装置の姿勢変化及び振動の少なくともいずれかを検出する検出手段とを備える撮像装置の制御方法であって、前記計時リセット手段は、前記操作手段により撮像装置が操作された場合、前記計時リセット手段により前記第１及び第２の計時手段をリセットするとともに、前記検出手段により撮像装置の姿勢変化及び振動の少なくともいずれかを検出した場合、前記第１の計時手段をリセットし、前記第２の計時手段をリセットしない。
【００１７】
また、前記撮像装置は、撮像された画像を表示する表示手段を更に備え、前記省電力モードでは、少なくとも前記表示手段をオフする。
【００１８】
また、前記省電力モードでは、少なくとも撮像装置の動作クロックの周波数を低下させる。
【発明の効果】
【００１９】
本発明によれば、カメラの姿勢を変化させるだけでディスプレイ自動オフの状態から簡単に復帰することができるとともに、持ち運び時等、意図せずにカメラの姿勢が変化したり、カメラに振動が与えられたりする場合であっても、オートパワーオフ機能が確実に働くことで、無駄な電力消費を避けることのできるデジタルカメラを提供することが可能となる。
【発明を実施するための最良の形態】
【００２０】
以下に、添付図面を参照して本発明を実施するための最良の形態について詳細に説明する。
【００２１】
尚、以下に説明する実施の形態は、本発明の実現手段としての一例であり、本発明が適用される装置の構成や各種条件によって適宜修正又は変更されるべきものであり、本発明は以下の実施の形態に限定されるものではない。
【００２２】
また、本発明は、後述する実施形態である撮像装置の機能を実現するソフトウェアのプログラムコードを記憶した記憶媒体（または記録媒体）を、装置に供給し、その装置のコンピュータ（またはCPUやMPU）が記憶媒体に格納されたプログラムコードを読み出し実行することによっても、達成されることは言うまでもない。
【００２３】
図１は、本発明に係る実施の形態の撮像装置の機能示すブロック図である。
【００２４】
図１に示す撮像装置１００において、１０は撮影レンズ、１２は絞り機能を備えるシャッター、１４は光学像を電気信号に変換する撮像素子、１６は撮像素子１４のアナログ信号出力をデジタル信号に変換するA/D変換器である。
【００２５】
１８は撮像素子１４、A/D変換器１６、D/A変換器２６にクロック信号や制御信号を供給するタイミング発生回路であり、メモリ制御回路２２及びシステム制御回路５０により制御される。
【００２６】
２０は画像処理回路であり、A/D変換器１６からのデータあるいはメモリ制御回路２２からのデータに対して所定の画素補間処理や色変換処理を行う。
【００２７】
また、画像処理回路２０においては、撮像した画像データを用いて所定の演算処理を行い、得られた演算結果に基づいてシステム制御回路５０が露光制御手段４０、測距制御手段４２に対して制御を行う、TTL（スルー・ザ・レンズ）方式のAF（オートフォーカス）処理、AE（自動露出）処理、EF（ストロボプリ発光）処理を行っている。
【００２８】
さらに、画像処理回路２０においては、撮像した画像データを用いて所定の演算処理を行い、得られた演算結果に基づいてTTL方式のAWB（オートホワイトバランス）処理も行っている。
【００２９】
２２はメモリ制御回路であり、A/D変換器１６、タイミング発生回路１８、画像処理回路２０、画像表示メモリ２４、D/A変換器２６、メモリ３０、圧縮・伸長回路３２を制御する。
【００３０】
A/D変換器１６のデータが画像処理回路２０、メモリ制御回路２２を介して、あるいはA/D変換器１６のデータが直接メモリ制御回路２２を介して、画像表示メモリ２４あるいはメモリ３０に書き込まれる。
【００３１】
２４は画像表示メモリ、２６はD/A変換器、２８は画像表示装置であり、画像表示メモリ２４に書き込まれた表示用の画像データは、D/A変換器２６を介して画像表示装置２８により表示される。
【００３２】
画像表示装置２８を用いて撮像した画像データを逐次表示すれば、EVF（電子ビューファインダ）機能を実現することが可能である。
【００３３】
また、画像表示装置２８は、システム制御回路５０の指示により任意に表示をON/OFFすることが可能であり、表示をOFFにした場合は撮像装置１００の電力消費を大幅に低減することが出来る。
【００３４】
３０は撮影した静止画像や動画像を格納するためのメモリであり、所定枚数の静止画像や所定時間の動画像を格納するのに十分な記憶量を備えている。
【００３５】
これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。
【００３６】
３２は適応離散コサイン変換（ADＣＴ）等により画像データを圧縮伸長する圧縮・伸長回路であり、メモリ３０に格納された画像を読み込んで圧縮処理あるいは伸長処理を行い、処理を終えたデータをメモリ３０に書き込む。
【００３７】
４０は絞り機能を備えるシャッター１２を制御する露光制御手段であり、ストロボ４８と連携することによりストロボ調光機能も有するものである。
【００３８】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００３９】
４８はストロボであり、AF補助光の投光機能、ストロボ調光機能も有する。
【００４０】
露光制御手段４０、測距制御手段４２はTTL方式を用いて制御されており、撮像した画像データを画像処理回路２０によって演算した演算結果に基づき、システム制御回路５０が露光制御手段４０、測距制御手段４２に対して制御を行う。
【００４１】
５０は撮像装置１００全体を制御するシステム制御回路、５２はシステム制御回路５０の動作用の定数、変数、プログラム等を記憶するメモリである。
【００４２】
５４はシステム制御回路５０でのプログラムの実行に応じて、文字、画像、音声等を用いて動作状態やメッセージ等を表示する液晶表示装置、スピーカ等の表示部であり、撮像装置１００の操作部近辺の視認し易い位置に単数あるいは複数個所設置され、例えばLCDやLED、発音素子等の組合せにより構成されている。
【００４３】
表示部５４の表示内容のうち、LCD等に表示するものとしては、動作モード表示、シングルショット/連写撮影表示、セルフタイマ表示、圧縮率表示、記録画素数表示、記録枚数表示、残撮影可能枚数表示、シャッタースピード表示、絞り値表示、露出補正表示、ストロボ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信I/F動作表示、日付・時刻表示等がある。
【００４４】
また、表示部５４の表示内容のうち、ファインダ付近に配置されるLED等に表示するものとしては、合焦表示、手振れ警告表示、ストロボ充電表示等がある。
【００４５】
５６は電気的に消去・記録可能な不揮発性メモリであり、例えばEEPROM等が用いられる。
【００４６】
６０、６２、６４、６６及び７０は、システム制御回路５０の各種の動作指示を入力するための操作手段であり、スイッチやダイアル、タッチパネル、視線検知によるポインティング、音声認識装置等の単数あるいは複数の組合せで構成される。
【００４７】
ここで、これらの操作手段の具体的な説明を行う。
【００４８】
６０はモードダイアルスイッチで、電源オフ、自動撮影モード、撮影モード、パノラマ撮影モード、再生モード、マルチ画面再生・消去モード、PC接続モード等の各機能モードを切替え設定することが出来る。
【００４９】
６２はシャッタースイッチSW1で、不図示のシャッターボタンの操作途中でONとなり、AF（オートフォーカス）処理、AE（自動露出）処理、AWB（オートホワイトバランス）処理、EF（ストロボプリ発光）処理等の動作開始を指示する。
【００５０】
６４はシャッタースイッチSW2で、不図示のシャッターボタンの操作完了でONとなり、撮像素子１４から読み出した信号をA/D変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００あるいは２１０に画像データを書き込む記録処理という一連の処理の動作開始を指示する。
【００５１】
６６は姿勢検出手段で、傾斜センサからなり、カメラが構えられているのは横位置であるか、縦位置であるか等、カメラの姿勢を検出する。
【００５２】
７０は各種ボタンやタッチパネル等からなる操作部で、メニューボタン、セットボタン、マクロボタン、マルチ画面再生改ページボタン、ストロボ設定ボタン、単写/連写/セルフタイマー切替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタン等がある。
【００５３】
８０は電源制御手段で、電源検出回路、DC-DCコンバータ、通電するブロックを切り換えるスイッチ回路等により構成されており、外部電源の接続の有無、電池の装着の有無、電池の種類、電池残量の検出を行い、検出結果及びシステム制御回路５０の指示に基づいてDC-DCコンバータを制御し、必要な電圧を必要な期間、記録媒体を含む各部へ供給する。
【００５４】
８２はコネクタ、８４はコネクタ、８６はアルカリ電池やリチウム電池等の一次電池やNiCd電池やNiMH電池、Li電池等の二次電池、ACアダプター、又は外部バッテリ等からなる電源手段である。
【００５５】
９０及び９４はメモリカードやハードディスク等の記録媒体とのインターフェース、９２及び９６はメモリカードやハードディスク等の記録媒体と接続を行うコネクタ、９８はコネクタ９２及びあるいは９６に記録媒体２００あるいは２１０が装着されているか否かを検知する記録媒体着脱検知手段である。
【００５６】
なお、本実施形態では記録媒体を取り付けるインターフェース及びコネクタを２系統持つものとして説明している。もちろん、記録媒体を取り付けるインターフェース及びコネクタは、単数あるいは複数、いずれの系統数を備える構成としても構わない。また、異なる規格のインターフェース及びコネクタを組み合わせて備える構成としても構わない。
インターフェース及びコネクタとしては、PCMCIAカードやCF（コンパクトフラッシュ（登録商標））カード等の規格に準拠したものを用いて構成して構わない。
【００５７】
さらに、インターフェース９０及び９４、そしてコネクタ９２及び９６をPCMCIAカードやCF（コンパクトフラッシュ（登録商標））カード等の規格に準拠したものを用いて構成した場合、LANカードやモデムカード、USBカード、IEEE1394カード、P1284カード、SCSIカード、PHS等の通信カード、等の各種通信カードを接続することにより、他のコンピュータやプリンタ等の周辺機器との間で画像データや画像データに付属した管理情報を転送し合うことが出来る。
【００５８】
１０２は、撮像装置１００のレンズ１０を含む撮像部を覆う事により、撮像部の汚れや破損を防止するバリアである保護手段である。
【００５９】
１１０は通信手段で、RS232CやUSB、IEEE1394、P1284、SCSI、モデム、LAN、無線通信、等の各種通信機能を有する。
【００６０】
１１２は通信手段１１０により撮像装置１００を他の機器と接続するコネクタあるいは無線通信の場合はアンテナである。
【００６１】
２００はメモリカードやハードディスク等の記録媒体である。
【００６２】
記録媒体２００は、半導体メモリや磁気ディスク等から構成される記録部２０２、撮像装置１００とのインターフェース２０４、撮像装置１００と接続を行うコネクタ２０６を備えている。
【００６３】
２１０はメモリカードやハードディスク等の記録媒体である。
【００６４】
記録媒体２１０は、半導体メモリや磁気ディスク等から構成される記録部２１２、撮像装置１００とのインターフェース２１４、撮像装置１００と接続を行うコネクタ２１６を備えている。
【００６５】
次に、図２、図３を参照して、本実施形態の撮像装置の動作を説明する。
【００６６】
図２、図３は、本実施形態の撮像装置１００によるオートパワーオフ動作を示すフローチャートである。
【００６７】
撮像装置１００において、システム制御回路５０は、モードダイアル６０が電源オン状態であるかどうかを判定する（Ｓ１００）。
【００６８】
モードダイアル６０が電源オン状態であると判定した場合、システム制御回路５０は、電源制御手段８０を用いて、姿勢検出手段６６を含む撮像装置１００を通電状態とする。
【００６９】
これにより姿勢検出手段６６は作動状態となる（Ｓ１０１）。
【００７０】
次に、システム制御回路５０は、撮像装置１００が所定時間Ｔ１に亘って操作されなかった場合に省電力モードに移行するための計時を行う省電力タイマの計時を開始するとともに（Ｓ１０２）、撮像装置１００が所定時間Ｔ２（＞Ｔ１）に亘って操作されなかった場合に電源をオフするための計時を行うオートパワーオフタイマの計時を開始する（Ｓ１０３）。
【００７１】
続いて、システム制御回路５０は、モードダイアル６０、シャッタースイッチ６２、６４及び操作部７０により、撮像装置１００が操作されたかどうかを判定する（Ｓ１０４）。撮像装置１００が操作された場合、システム制御回路５０は、省電力タイマの計時をリセットするとともに（Ｓ１０５）、オートパワーオフタイマの計時をリセットし（Ｓ１０６）、処理をＳ１０４に戻す。
【００７２】
これにより、撮像装置１００が所定時間Ｔ１及びＴ２を超えない間隔で操作され続けている間は、省電力タイマ及びオートパワーオフタイマの計時がリセットされることで、省電力モードへ移行したり、オートパワーオフにより電源オフしたりすることが防止される。
【００７３】
次に、Ｓ１０４で撮像装置１００が操作されていない場合、システム制御回路５０は、処理をＳ１０７へ進め、省電力タイマの計時が所定時間Ｔ１を経過してタイムアップしているかどうかを判定する。
【００７４】
省電力タイマがタイムアップしていた場合、システム制御回路５０は、撮像装置１００を省電力モードへ移行させる（Ｓ１０８）。
【００７５】
省電力モード処理の詳細については、別途説明する。
【００７６】
次に、Ｓ１０７で省電力タイマがタイムアップしていない場合、又は、省電力モードを終了した場合、システム制御回路５０は、オートパワーオフタイマの計時が所定時間Ｔ２を経過してタイムアップしているかどうかを判定する（Ｓ１０９）。
【００７７】
オートパワーオフタイマがタイムアップしていた場合、システム制御回路５０は、撮像装置１００の電源をオフする（Ｓ１１１）。
【００７８】
また、Ｓ１０９でオートパワーオフタイマがタイムアップいていない場合、システム制御回路５０は、処理をＳ１１０へ進め、モードダイアル８０が電源オフ状態であるかどうかを判定する。
【００７９】
モードダイアル８０が電源オフ状態であった場合、システム制御回路５０は、撮像装置１００の電源をオフする（Ｓ１１１）。
【００８０】
最後に、Ｓ１１０でモードダイアル８０が電源オフ状態でなかった場合、システム制御回路５０は、処理をＳ１０４へ戻し、以上の処理を繰り返す。
【００８１】
次に、図２のＳ１０８に示す省電力モード処理の詳細について、図３を用いて説明する。
【００８２】
省電力タイマのタイムアップにより省電力モードに移行すると、システム制御回路５０はEVFをオフする（Ｓ１２０）。
【００８３】
EVFをオフすることにより、LCDパネルやCCD等に供給されていた電力が遮断されるため、撮像装置１００の電力消費は大幅に低減されることになる。
【００８４】
次に、システム制御回路５０は、モードダイアル６０、シャッタースイッチ６２、６４及び操作部７０により、撮像装置１００が操作されたかどうかを判定する（Ｓ１２１）。
【００８５】
撮像装置１００が操作された場合、システム制御回路５０は、オートパワーオフタイマの計時をリセットするとともに（Ｓ１２２）、省電力タイマの計時をリセットし（Ｓ１２３）、EVFをオンして（Ｓ１２４）、省電力モードを終了する。
【００８６】
これにより、省電力モード中であっても、撮像装置１００が操作された場合は、省電力タイマの計時がリセットされるとともに、オートパワーオフタイマの計時がリセットされ、省電力モード終了後、撮像装置１００が所定時間Ｔ１及びＴ２を超えない間隔で操作され続けている間、省電力モードへ移行したり、オートパワーオフにより電源オフしたりすることが防止される。
【００８７】
次に、Ｓ１２１で撮像装置１００が操作されていない場合、システム制御回路５０は、姿勢検出手段６６の傾斜センサの出力状態により、撮像装置１００の姿勢変化が検出されたかどうかを判定する（Ｓ１２５）。
【００８８】
撮像装置１００の姿勢変化が検出された場合、システム制御回路５０は、省電力タイマの計時をリセットし（Ｓ１２３）、EVFをオンして（Ｓ１２４）、省電力モードを終了する。
【００８９】
これにより、撮像装置１００の姿勢変化が検出された場合には、オートパワーオフタイマの計時はリセットされないままとなるので、省電力モードは終了するものの、オートパワーオフタイマの計時が所定時間Ｔ２を経過した時点でオートパワーオフが働くこととなる。
【００９０】
つまり、撮像装置１００が、特に操作されることなく姿勢変化のみが続くような場合で、省電力モードに移行されないような状態であっても、所定時間Ｔ２が経過した時点でオートパワーオフが働くことにより、無駄な電力消費を押さえることが可能となる。
【００９１】
次に、システム制御回路５０は、オートパワーオフタイマの計時が所定時間Ｔ２を経過してタイムアップしているかどうかを判定する（Ｓ１２６）。
【００９２】
オートパワーオフタイマがタイムアップしていた場合、システム制御回路５０は、省電力モードを終了する。
【００９３】
オートパワーオフタイマがタイムアップしていない場合、システム制御回路５０は、処理をＳ１２１へ戻し、省電力モードを続行する。
【００９４】
以上、図３を用いて省電力モード処理についての説明を行った。
【００９５】
ここで、撮像装置１００の姿勢検出手段として傾斜センサを用いる場合について説明したが、例えばジャイロセンサ等、同様の効果を有するものであれば、方式の異なるセンサを使用しても特に問題は無い。
【００９６】
また、省電力モードはEVFをオフするとして説明したが、例えばシステム制御回路５０のシステムクロック周波数を一時的に低下させる等、消費電力を低減することが出来る方法であれば、その実現方法が異なるものであっても特に問題はない。
【００９７】
更には、姿勢変化を検出することにより、省電力モードから復帰するとして説明を行ったが、姿勢センサの変わりに加速度センサ等を使用することにより、カメラに振動が加えられたことを検知して省電力モードから復帰するようにしてもよい。また、姿勢変化及び振動の少なくともいずれかを検出した場合に、省電力モードから復帰するようにしてもよい。
【００９８】
また、姿勢変化や振動の周期に応じ、オートパワーオフタイマの計時をリセットするかどうかを判定するようにしてもよいし、姿勢変化や振動の速度に応じ、オートパワーオフタイマの計時をリセットするかどうかを判定するようにしてもよい。
【００９９】
以上、図１〜図３を用いて本実施形態の説明を行った。
【０１００】
このように、本発明によれば、カメラの姿勢を変化させるだけで省電力モードから簡単に復帰することができるとともに、持ち運び時等、意図せずにカメラの姿勢が変化したり、カメラに振動が与えられたりする場合であっても、オートパワーオフ機能が確実に働くことで、無駄な電力消費を避けることが可能となる。
【図面の簡単な説明】
【０１０１】
【図１】本発明に係る一実施形態の撮像装置の機能ブロック図である。
【図２】本実施形態のオートパワーオフ動作を示すフローチャートである。
【図３】本実施形態の省電力モード処理を示すフローチャートである。
【符号の説明】
【０１０２】
１０  撮影レンズ
１２  シャッター
１４  撮像素子
１６  A/D変換器
１８  タイミング発生回路
２０  画像処理回路
２２  メモリ制御回路
２４  画像表示メモリ
２６  D/A変換器
２８  画像表示手段
３０  メモリ
３２  画像圧縮・伸長回路
４０  露光制御手段
４２  測距制御手段
４４  ズーム制御手段
４６  バリア制御手段
４８  ストロボ
５０  システム制御回路
５２  メモリ
５４  表示部
５６  不揮発性メモリ
６０  モードダイアル
６２  シャッタースイッチSW1
６４  シャッタースイッチSW2
６６  姿勢検出手段
７０  操作部
８０  電源制御手段
８２  コネクタ
８４  コネクタ
８６  電源手段
９０  インターフェース
９２  コネクタ
９４  インターフェース
９６  コネクタ
９８  記録媒体着脱検知手段
１００  撮像装置
１０２  保護手段
１１０  通信手段
１１２  コネクタ（又はアンテナ）
２００  記録媒体
２０２  記録部
２０４  インターフェース
２０６  コネクタ
２１０  記録媒体
２１２  記録部
２１４  インターフェース
２１６  コネクタ
【図１】
2006086651.tif 000003
【図２】
2006086651.tif 000004
【図３】
2006086651.tif 000005